(57)【要約】【課題】上方からの配線を挿通可能なダクト部材を備えていても、設置場所が限られず、幅方向に連結して拡張可能な作業台を提供する。【解決手段】作業平面Ｓを形成する天板部３と、天板部３を支持する支持脚２と、天板部３の後端部３ｂ側の上方に配置された棚板５と、天板部３から上方に延び、棚板５を支持する複数の棚板支持部材４と、備える作業台１Ａにおいて、複数の棚板支持部材４のうち少なくとも１つの棚板支持部材４には、内部に配線を上下方向に挿通可能な第１配線挿通部４２が形成されているとともに、配線を上下方向に挿通可能な第２配線挿通部９８が形成されたダクト部材９が上部に接続されていて、第２配線挿通部９８は、第１配線挿通部４２と連通している【選択図】図１
2015047569.tif 000002
【特許請求の範囲】
【請求項１】
作業平面を形成する天板部と、
該天板部を支持する支持脚と、
前記天板部の後端部側の上方に配置された棚板と、
前記天板部から上方に延び、前記棚板を支持する複数の棚板支持部材と、
を備える作業台において、
前記複数の棚板支持部材のうち少なくとも１つの棚板支持部材には、内部に配線を上下方向に挿通可能な第１配線挿通部が形成されているとともに、配線を上下方向に挿通可能な第２配線挿通部が形成されたダクト部材が上部に接続されていて、
前記第２配線挿通部は、前記第１配線挿通部と連通していることを特徴とする作業台。
【請求項２】
前記ダクト部材は、接続される前記棚板支持部材と係合可能な係合部を有することを特徴とする請求項１に記載の作業台。
【請求項３】
前記棚板支持部材は、前記第１配線挿通部を前記配線を上下方向に挿通可能な複数の空間に区分する仕切り部を備えることを特徴とする請求項１または２に記載の作業台。
【請求項４】
前記棚板が幅方向に並んで配置され、該棚板は前記幅方向の端部がそれぞれ前記棚板支持部材に支持されていて、隣り合う前記棚板間には、連結された２つの前記棚板支持部材が設けられていて、
前記連結された２つの棚板支持部材の上部には、前記ダクト部材が１つ接続されていて、該ダクト部材の第２配線挿通部は、前記連結された２つの棚板支持部材の第１配線挿通部とそれぞれ連通していることを特徴とする請求項１乃至３のいずれか１項に記載の作業台。
【請求項５】
前記ダクト部材の側方には、前記第２配線挿通部を開放する開口部が形成されていて、該開口部には、着脱可能なカバー部材が設けられていることを特徴とする請求項１乃至４のいずれか１項に記載の作業台。
【請求項６】
前記ダクト部材の上部には、前記ダクト部材の上端面よりも大きく形成されて、上方からの配線を受けるための配線受け部材が設けられていることを特徴とする請求項１乃至５のいずれか１項に記載の作業台。
【発明の詳細な説明】
【技術分野】
【０００１】
本発明は、各種実験機器や計測機器等を載置して作業を行うための作業台に関する。
【背景技術】
【０００２】
従来、オフィスや研究施設、病院、学校などの研究室や実験室では、研究内容や実験内容に応じて、多種多様な実験機器や計測機器などが使用されている。また、このような研究や実験の場においては、研究や実験の対象物を載置したり、研究や実験に伴う様々な作業や、研究結果や実験結果の記録やパーソナルコンピューターへ入力する作業を行ったりするための作業平面が必要とされている。
【０００３】
このため、研究や実験の対象物を載置したり各種作業を行ったりするための天板（作業平面）と、天板よりも上方に設けられて実験機器や計測機器などを載置可能な棚板とを備える作業台が知られている（例えば、特許文献１参照）。
このような作業台を使用すると、実験機器や計測機器の表示画面を確認しやすいとともに、作業平面を確保できるため、研究や実験の作業効率を高めることができる。
【０００４】
また、実験機器や計測機器には、それぞれ電源を供給する電源線と、各機器に情報を入力・出力する情報線が接続されることが多く、このような実験機器や計測機器が設置される作業台には、多数の配線を処理するため機構が求められている。
特に、実験室などでは、電源の取り出し口が床面や壁面の低い位置に設けられておらず、天井や壁面の高い位置に設けられていることが多いため、上方からの配線を挿通可能な上下方向に延びる配線ダクトを備える作業台が知られている（例えば、特許文献２参照）。
【先行技術文献】
【特許文献】
【０００５】
【特許文献１】特開２０１０−１７８８８４号公報
【特許文献２】特開２０１０−１０４９５１号公報
【発明の概要】
【発明が解決しようとする課題】
【０００６】
しかしながら、特許文献２のような作業台では、側部に上下方向に延びる配線ダクトが設けられている構成であるため、側方に他の作業台を連結して拡張させようとしても、配線ダクトが他の作業台と当たってしまい、作業台を連結して拡張させることができないという問題がある。また、配線ダクトが作業台の側方に設けられているため、作業台の設置場所が限られてしまうという問題がある。
【０００７】
本発明は、上述する問題点に鑑みてなされたもので、上方からの配線を挿通可能なダクト部材を備えていても、設置場所が限られず、幅方向に連結して拡張可能な作業台を提供することを目的とする。
【課題を解決するための手段】
【０００８】
上記目的を達成するため、本発明に係る作業台は、作業平面を形成する天板部と、該天板部を支持する支持脚と、前記天板部の後端部側の上方に配置された棚板と、前記天板部から上方に延び、前記棚板を支持する複数の棚板支持部材と、を備える作業台において、前記複数の棚板支持部材のうち少なくとも１つの棚板支持部材には、内部に配線を上下方向に挿通可能な第１配線挿通部が形成されているとともに、配線を上下方向に挿通可能な第２配線挿通部が形成されたダクト部材が上部に接続されていて、前記第２配線挿通部は、前記第１配線挿通部と連通している。
【０００９】
本発明では、棚板支持部材に第１配線挿通部が設けられていて、棚板支持部材の上部に第２配線挿通部が形成されたダクト部材を接続する構成であることにより、作業台を幅方向に連結して拡張させる際にダクト部材と他の部材とが当たることがなく、作業台を容易に連結して拡張させることができる。また、ダクト部材が側部に設けられた作業台と比べて、設置場所が限られることが少ない。
また、棚板支持部材の上部にダクト部材を接続することにより、第２配線挿通部が設けられたダクト部材が高い位置に配されるため、天井など上方からの配線が行いやすいとともに、見た目をよくすることができる。
【００１０】
また、本発明に係る作業台では、前記ダクト部材は、接続される前記棚板支持部材と係合可能な係合部を有することが好ましい。
このようにすることにより、ダクト部材と棚板支持部材とを確実に係合させることができる。
【００１１】
また、本発明に係る作業台では、前記棚板支持部材は、前記第１配線挿通部を前記配線を上下方向に挿通可能な複数の空間に区分する仕切り部を備えることが好ましい。
このようにすることにより、第１配線挿通部に複数の配線を区分して挿通させることができるため、使い勝手を良くすることができる。例えば、弱電の配線（通信線）と強電の配線（電源線）とを分けて挿通させることができる。
【００１２】
また、本発明に係る作業台では、前記棚板が幅方向に並んで配置され、該棚板は前記幅方向の端部がそれぞれ前記棚板支持部材に支持されていて、隣り合う前記棚板間には、連結された２つの前記棚板支持部材が設けられていて、前記連結された２つの棚板支持部材の上部には、前記ダクト部材が１つ接続されていて、該ダクト部材の第２配線挿通部は、前記連結された２つの棚板支持部材の第１配線挿通部とそれぞれ連通してもよい。
このようにするにより、連結する２つの棚板支持部材に対してそれぞれの第１配線挿通部と連通可能なダクト部材を接続することができる。
【００１３】
また、本発明に係る作業台では、前記ダクト部材の側方には、前記第２配線挿通部を開放する開口部が形成されていて、該開口部には、着脱可能なカバー部材が設けられていることが好ましい。
このようにすることにより、第２配線挿通部を開放するとダクト部材の配線を行いやすいため、配線作業おける作業性を良好にすることができる。
【００１４】
また、本発明に係る作業台では、前記ダクト部材の上部には、前記ダクト部材の上端面よりも大きく形成されて、上方からの配線を受けるための配線受け部材が設けられていることが好ましい。
このようにすることにより、上方からの配線に余長がある場合でも、余長分の配線を収容することができて、見た目をよくすることができるとともに、配線作業における作業性を良好にすることができる。
【発明の効果】
【００１５】
本発明によれば、棚板支持部材に第１配線挿通部が設けられていて、棚板支持部材の上部に第２配線挿通部が形成されたダクト部材を接続する構成であることにより、作業台を幅方向に連結して拡張させる際にダクト部材と他の部材とが当たることがなく、作業台を容易に連結して拡張させることができる。また、ダクト部材が側部に設けられた作業台と比べて、設置場所が限られることが少ない。
また、棚板支持部材の上部にダクト部材を接続することにより、ダクト部材が高い位置に配されるため、天井など上方からの配線が行いやすいとともに、見た目をよくすることができる。
【図面の簡単な説明】
【００１６】
【図１】本発明の第１実施形態による作業台の一例を示す図である。
【図２】棚板支持部材を説明する斜視図である。
【図３】棚板支持部材の水平断面図である。
【図４】ダクト部材を説明する図である。
【図５】ダクト部材の内部を説明する図である。
【図６】ダクト部材の第２部材を説明する図である。
【図７】配線受け部およびダクト部材を説明する図である。
【図８】第２実施形態による作業台を説明する図である。
【発明を実施するための形態】
【００１７】
（第１実施形態）
以下、本発明の第１実施形態による作業台について、図１乃至図８に基づいて説明する。
図１に示すように、第１実施形態による作業台１Ａは、作業台１Ａが設置される床面上に幅方向（図中の矢印Ａの方向）に所定の間隔をあけて立設された複数の支持脚２，２…と、複数の支持脚２，２…によって床面の上方の所定の高さに支持されてその上面が作業平面Ｓとなる天板部３と、天板部３の上に幅方向Ａに間隔をあけて立設する複数の棚板支持部材４，４…と、棚板支持部材４に支持される棚板５と、棚板支持部材４の上部に接続されるダクト部材９と、を備えている。
ここで、幅方向Ａとは、天板部３および棚板本体６の幅方向とし、この幅方向Ａに直交する水平方向を前後方向（図中の矢印Ｂの方向）として以下説明する。
【００１８】
支持脚２として、天板部３の幅方向Ａの両端部に一対の支持脚２１，２１が設けられているのに加え、天板部３の幅方向Ａの中間部に補助支持脚（支持脚）２２が設けられている。この補助支持脚２２は、前後方向Ｂの長さが、支持脚２１よりも短く、補助支持脚２２の前端部２２ａが天板部３の前端部３ａよりも後方に配されている。これにより、天板部３の幅方向Ａの中間部においては、天板部３の荷重を支持しつつ、実験台１の利用者の脚等と干渉しないようになっている。
ここで、支持脚２としては、様々な形状の支持脚や、引き出しを備えた袖箱等を採用できる。また、補助支持脚２２を備えず、一対の支持脚２１，２１のみ設けてもよいし、支持脚２１を３つ以上備えていてもよい。
【００１９】
天板部３は、２枚の天板本体３１，３１を、それぞれの天板本体３１，３１の後端部３１ｂどうしを対向させて備えている。そして、一方の天板本体３１Ａの後端部３１ｂと他方の天板本体３１Ｂの後端部３１ｂとの間に、配線収容部３２と、電源コンセント接続部３３とが設けられている。
より詳しくは、一方の天板本体３１Ａの後端部３１ｂと他方の天板本体３１Ｂの後端部３１ｂとの間に、一つの配線収容部３２が設けられ、それぞれの天板本体３１Ａ，３１Ｂの後端部３１ｂ、３１ｂと配線収容部３２との間に、それぞれ電源コンセント接続部３３，３３が設けられている。
【００２０】
配線収容部３２は、一対の支持脚２１，２１と補助支持脚２２との間に、前後方向Ｂに間隔を隔てて配置された一対の連結板３２Ａ，３２Ｂと、連結板３２Ａ，３２Ｂの下端部間に架け渡された底板３２Ｃと、を備えている。
この配線収容部３２は、上方に向けて開口した開口部３４を有している。そして、配線収容部３２は、開口部３４を開閉可能な蓋体３５を備えている。
【００２１】
棚板支持部材４は、一対の支持脚２１，２１と補助支持脚２２のそれぞれの鉛直上方に設けられている。一対の支持脚２１，２１の鉛直上方には１つずつ棚板支持部材４が設けられていて、補助支持脚２２の鉛直上方には、２つの棚板支持部材４Ａ，４Ａが幅方向Ａに連結して設けられている。棚板支持部材４は、天板部３から鉛直上方に延びるよう設けられている。
また、棚板支持部材４は、一方の天板本体３１Ａの上方に設ける棚板５と、他方の天板本体３１Ｂの上方に設ける棚板５とで、共用できるよう、一方の天板本体３１Ａと他方の天板本体３１Ｂとに跨るように設けられている。
【００２２】
棚板支持部材４は、例えば、薄型鋼板を上下方向に延びる角筒状に形成した筒状部材４１で構成されている。筒状部材４１は、水平断面において外形が前後方向Ｂに長い略長方形状に形成されている。
【００２３】
本実施形態では、一対の支持脚２１，２１の鉛直上方には、棚板支持部材４として、それぞれ１つの筒状部材４１が設けられていて、補助支持脚２２の鉛直上方には、幅方向Ａに連結された２つの棚板支持部材４Ａ，４Ａとして、幅方向Ａに連結された２つの筒状部材４１，４１が設けられている。
各棚板支持部材４において、前方を向く前面４ａと幅方向Ａを向く側面４ｃには、それぞれ、上下方向に間隔を隔てて複数の棚板係合孔４３，４４が形成されている。
本実施形態では、各棚板支持部材４の前面に上下方向に延びる溝部４５がそれぞれ形成されていて、溝部４５の底部に複数の棚板係合孔４３が形成されている。
【００２４】
このような棚板支持部材４により、天板部３の上方に棚板５が設置できるようになっている。本実施形態では、上下２枚ずつ棚板５が設置されているが、その設置枚数は限定するものではなく、上下において１枚のみでもよいし、３枚以上でもよい。
棚板５は、板状の棚板本体６と、棚板本体６の幅方向Ａ両側の下面に設けられた補強ブラケット７１と、を備えている。
【００２５】
棚板本体６には、その幅方向Ａ両側に棚板支持部材４の側面４ｃに形成された棚板係合孔４４に係合可能な係合フック（不図示）が設けられている。また、補強ブラケット７１は、棚板本体６の下面において、前方から後方に行くにしたがいその高さが漸次大きくなるように形成されている。そして、補強ブラケット７１において、後方を向き、棚板本体６に直交する支持面には、棚板支持部材４の前面４ａに形成された棚板係合孔４３に係合可能な係合フック（不図示）が設けられている。
このような棚板５は、その幅方向Ａ両端部において、棚板支持部材４の側面４ｃの棚板係合孔４４と、前面４ａの棚板係合孔４３に、棚板本体６と補強ブラケット７１のそれぞれの係合フックを係合させることで、両側の棚板支持部材４、４間に保持されている。
【００２６】
ここで、前後方向Ｂに配列された棚板本体６，６は、その後端部６ｂ，６ｂどうしが、離間している。これにより、棚板本体６ｂの後方に、棚板本体６上に載置した機器類の配線を垂下させる配線挿通空間Ｓｈが形成されている。
【００２７】
また、幅方向Ａに互いに隣接する棚板支持部材４，４には、棚板５以外にも、例えばモニタディスプレイ等の物品を係合できるブラケット５１を取り付けることもできる。ブラケット５１と同様の取付構造により、パネル状あるいはバー状の物品を適宜取り付けることもできる。
【００２８】
また、補助支持脚２２の鉛直上方に設けられた２つの棚板支持部材４Ａ，４Ａは、図２および図３に示すように、それぞれ内部に配線を上下方向に挿通可能な第１配線挿通部４２が形成されている。これらの２つの棚板支持部材４Ａ，４Ａは、下端部が配線収容部３２の上方に配されていて、配線収容部３２と連通している。
２つの棚板支持部材４Ａ，４Ａの各第１配線挿通部４２は、筒状部材４１の内部に形成されている。筒状部材４１は、上下方向に延びて水平断面が所定の形状になるように加工された鋼板が複数組み合わさって構成されている。
【００２９】
筒状部材４１を構成する鋼板は、前後方向Ｂの長さが筒状部材４１の前後方向Ｂの長さと略等しく、幅方向Ａの長さが筒状部材４１の幅方向Ａの長さより短く、水平断面形状が幅方向Ａの一方に開口する略Ｃ字状の第１部材４６と、第１部材４６の内側に重なるように配されて、前後方向Ｂの長さが筒状部材４１の前後方向Ｂの長さと略等しく、幅方向Ａの長さが筒状部材４１の幅方向Ａの長さと略等しく、水平断面形状が幅方向Ｂの一方に開口する略Ｃ字状の第２部材４７と、第２部材４７と左右方向Ａに対向するように設けられて前後方向Ｂの長さが筒状部材４１の前後方向Ｂの長さのほぼ半分の長さで、幅方向Ａの長さが筒状部材４１の幅方向Ａの長さより短く、水平断面形状が幅方向の一方に開口する略Ｃ字状で前後方向Ｂに隣接する第３部材４８および第４部材４９と、第２部材４７と第３部材４８および第４部材４９との間に設けられた第５部材５０とを有している。
【００３０】
第３部材４８および第４部材４９は、端部どうしが連結している。
第５部材５０は、一方の端部５０ａが第２部材４７に溶接されているとともに、他方の端部５０ｂが第３部材４８とともに第２部材４７の一方の端部４７ａを挟持している。
第５部材５０は、両端部５０ａ，５０ｂ以外の中間部の一部が第３部材４８と面接触している。そして、この一部以外が幅方向Ａに延びて第１配線挿通部４２を前後方向Ｂに２つに区分する仕切り部となっている。また、第５部材５０は、筒状部材４１を所定の剛性に保持する役割も果たしている。
また、第５部材５０と第３部材４８および第４部材４９とは、ネジ止め（不図示）されている。
本実施形態では、２つの棚板支持部材４Ａ，４Ａは２つの筒状部材４１，４１で構成されているため、２つの棚板支持部材４Ａ，４Ａには区分された第１配線挿通部４２の空間が合計で４つ形成されている。
【００３１】
また、第１部材４６の端部と第３部材４８および第４部材４９の端部とは幅方向Ａに離間していて、この離間して形成された空間が、棚板支持部材４の溝部４５を構成している。そして、第２部材４７の前端部の一部が、溝部４５の底部となり、第２部材４７の前端部の一部には、棚板支持部材４の棚板係合孔４３が複数形成されている。
【００３２】
図１に示すように、ダクト部材９は、補助支持脚２２の上に設けられた２つの棚板支持部材４Ａ，４Ａの上部に接続されている。
図４に示すダクト部材９は、前後方向Ｂの長さが筒状部材４１（図２および図３参照）の前後方向Ｂの長さと略等しく、幅方向Ａの長さが筒状部材４１の幅方向Ａの長さの２倍と等しくなるように形成されている。
図４乃至６に示すように、ダクト部材９は、水平断面形状が幅方向Ａの一方に開口する略Ｃ字状に形成された第１部材９１および第２部材９２と、第１部材９１と第２部材９２とを連結させるための連結部材９３と、第１部材９１の下部側に固定されて、２つの棚板支持部材４Ａ，４Ａに係合可能な係合部９４とを備えている。
また、第１部材９１と第２部材９２とに囲まれた空間には、第２配線挿通部９８が形成されている。
【００３３】
第１部材９１および第２部材９２は、互いに開口する側を対向させるように連結されていて、第１部材９１および第２部材９２で筒状体を構成している。
連結部材９３は、第１部材９１に固定されていて、連結部材９３に対して第２部材９２が着脱可能に構成されている。
また、連結部材９３は、第１部材９１および第２部材９２の上端部および下端部どうしを連結していて、第２配線挿通部９８の上端部および下端部において第２配線挿通部９８を前後方向Ｂに２つに区分している。
【００３４】
係合部９４は、第１部材９１の下部側に固定されたときに、第１部材９１の下端部からそれぞれ下方に突出する第１突出部９５および第２突出部９６を有している。第２突出部９６は、第１突出部９５よりも幅方向Ａおよび上下方向の寸法が小さく形成されている。
第１突出部９５と第２突出部９６との間には、凹部９７が形成されている。
【００３５】
係合部９４は、第１部材９１の前後方向Ｂの両端部に設けられていて、ダクト部材９が２つの棚板支持部材４Ａ，４Ａの上部に接続されると、２つの棚板支持部材４Ａ，４Ａの各筒状部材４１，４１の内部に挿入可能に構成されている。
図３に示すように、係合部９４は、２つの棚板支持部材４Ａ，４Ａの筒状部材４１の内部に挿入されると、第１突出部９５と第２突出部９６との間の凹部９７に筒状部材４１の第２部材４７が嵌合するように構成されている。
【００３６】
そして、ダクト部材９は、２つの棚板支持部材４Ａ，４Ａの上部に接続されるときには、係合部９４の第１突出部９５と第２突出部９６との間の凹部９７に筒状部材４１の第２部材４７が嵌合するとともに、係合部９４が筒状部材４１の構成部材と当接されることで棚板支持部材４に係合されている。
上記のように係合部９４が棚板支持部材４に係合されるため、ネジなどを使用せずにダクト部材９を２つの棚板支持部材４Ａ，４Ａの上部に接続させることができる。
【００３７】
また、ダクト部材９は、２つの棚板支持部材４Ａ，４Ａの上部に接続された状態において、第２部材９２が第１部材９１に着脱可能に構成されていて、第２部材９２が外されると側方に開口部が形成される。この開口部は、配線作業を行うときに使用される。このため、第２部材９２は、ダクト部材９に着脱可能なカバー部材とすることができる。
【００３８】
また、図７に示すように、本実施形態では、ダクト部材９の上に天井からの配線を受けるための配線受け部材９９が設けられている。配線受け部材９９は、ダクト部材９の上端面よりも大きく形成されていて、上下方向に貫通する２つの孔部９９ａ，９９ａが前後方向Ｂに並んで形成されている。
【００３９】
このような作業台１Ａでは、天井からの配線を配線受け部材９９が受けて、配線受け部材９９の孔部９９ａを通ってダクト部材９の第２配線挿通部９８および２つの棚板支持部材４Ａ，４Ａの第１配線挿通部４２，４２に挿通させて、配線収容部３２に配線する。また、配線収容部３２のに収容された配線を電源コンセント接続部３３，３３に電力を供給するために接続している。
【００４０】
次に、上述した第１実施形態による作業台１Ａの作用・効果について図面を用いて説明する。
２つの棚板支持部材４Ａ，４Ａに第１配線挿通部４２が設けられていて、２つの棚板支持部材４Ａ，４Ａの上部に第２配線挿通部９８が形成されたダクト部材９を接続させる構成であることにより、作業台１Ａを幅方向に連結して拡張させる際にダクト部材９と他の部材とが当たることがなく、作業台１Ａを容易に連結して拡張させることができる。また、ダクト部材９が側部に設けられた作業台と比べて、設置場所が限られることが少ない。
また、２つの棚板支持部材４Ａ，４Ａの上部にダクト部材９を接続することにより、ダクト部材９が高い位置に配されるため、天井など上方からの配線が行いやすいとともに、見た目をよくすることができる。
【００４１】
また、第１配線挿通部４２は、配線を上下方向に挿通可能な複数の空間に区分されていることにより、第１配線挿通部４２に複数の配線を区分して挿通させることができるため、使い勝手を良くすることができる。例えば、弱電の配線（通信線）と強電の配線（電源線）とを分けて挿通させることができる。
また、ダクト部材９の第２配線挿通部９８も、連結部材９３によって区分されているため、必要に応じて配線を分けて挿通させることができる。
【００４２】
また、２つの棚板支持部材４Ａ，４Ａが連結して設けられている場合も、連結した２つの棚板支持部材４Ａ，４Ａの上部にダクト部材９を接続することができる。
【００４３】
また、ダクト部材９の第２部材９２は、第１部材９１に着脱可能であることにより、配線作業を行う際に第２部材９２を外すことで、第２配線挿通部９８が開放されるため、配線作業が行いやすく、作業性を良好にすることができる。
【００４４】
また、ダクト部材９の上部には、配線受け部材９９が設けられていることにより、上方からの配線に余長がある場合でも、余長分の配線を収容することができて、見た目をよくすることができるとともに、配線作業における作業性を良好にすることができる。
【００４５】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図８に示すように、第２実施形態による作業台は、第１実施形態のように天板部３が２枚の天板本体３１，３１を、それぞれの後端部３１ｂどうしを対向させて前後方向Ｂの両側から使用する構成ではなく、前側からのみ使用する構成である。天板部３の後方に配線収容部３２と電源コンセント接続部３３が設けられている。
【００４６】
そして、第２実施形態では、棚板支持部材４は、第１実施形態と比べて前後方向Ｂの長さが短くなるように形成されている。
また、第２実施形態では、ダクト部材９および配線受け部材９９も、第１実施形態と比べて前後方向Ｂの長さが短くなるように形成されている。
【００４７】
第２実施形態においても、天井からの配線を配線受け部材９９が受けて、ダクト部材９の第２配線挿通部９８および２つの棚板支持部材４Ａ，４Ａの第１配線挿通部４２，４２に挿通させて、配線収容部３２に配線するとともに、電源コンセント接続部３３に電力を供給するために接続している。
このため、第２実施形態による作業台１Ｂによれば、第１実施形態と同様の効果を奏する。
【００４８】
以上、本発明による作業台の実施形態について説明したが、本発明は上記の実施形態に限定されるものではなく、その趣旨を逸脱しない範囲で適宜変更可能である。
例えば、上記の実施形態では、作業台１Ａ，１Ｂの幅方向Ａの中央部に位置する補助支持脚２２の鉛直上方に設けられた２つの棚板支持部材４Ａ，４Ａの上部にダクト部材９を接続しているが、、作業台１Ａ，１Ｂの幅方向Ａの端部に設けらえた棚板支持部材４の上部にダクト部材９接続してもよい。
また、上記の実施形態では、２つの棚板支持部材４Ａ，４Ａの第１配線挿通部４２，４２は、区分されているが、区分されていなくてもよい。
また、上記の実施形態では、筒状部材４１が幅方向Ａに２つ連結した２つの棚板支持部材４Ａ，４Ａの上部にダクト部材９を接続しているが、１つの筒状部材４１からなる棚板支持部材４の上部にダクト部材９を接続してもよい。
また、上部にダクト部材９が接続される棚板支持部材４の形状は、第１配線挿通部４２が形成されているのであれば、上記の実施形態以外の形状としてもよい。
また、上記の実施形態では、ダクト部材９は、第２部材９２が第１部材９１に対して着脱可能に構成されているが、第１部材９１と第２部材９２とが固定された形態としてもよい。
例えば、上記の実施形態では、ダクト部材９の上部に配線受け部材９９が設けられているが、ダクト部材９の上部に配線受け部材９９が設けられていなくてもよい。  
【符号の説明】
【００４９】
１Ａ，１Ｂ  作業台
２，２１  支持脚
３  天板部
４  棚板支持部材
５  棚板
６  棚板本体
７  棚板支持手段
９  ダクト部材
４２  第１配線挿通部
５０  第５部材（仕切り部）
９２  第２部材（カバー部材）
９４  係合部
９８  第２配線挿通部
９９  配線受け部材
２２  補助支持脚（支持脚）
Ｓｈ  配線挿通空間
Ａ  幅方向
Ｂ  前後方向
【図１】
2015047569.tif 000003
【図２】
2015047569.tif 000004
【図３】
2015047569.tif 000005
【図４】
2015047569.tif 000006
【図５】
2015047569.tif 000007
【図６】
2015047569.tif 000008
【図７】
2015047569.tif 000009
【図８】
2015047569.tif 000010